(57)【要約】ユーザにプレゼンスサービスを提供するシステムであって、該システムはユーザの端末（４）を備え、該端末（４）は、それぞれのオブジェクトを表すアドレスを有するアプリケーション（１）を備えている。本発明によると、前記端末（４）は、前記アプリケーション（１）に接続したプレゼンス・プログラム・ロジック（３）をさらに備え、該プレゼンス・プログラム・ロジック（３）は、プレゼンス管理システム（１７）に接続している。さらに、前記プレゼンス・プログラム・ロジック（３）は、前記アプリケーション（１）内にある少なくとも１つのインターフェース（９，１０，１１，１２，１３）を利用して、プレゼンスサービスを、前記アプリケーション（１）のサービスと統合するインターフェース対話手段（１９）を、備えている。
2005505840.tif 000002
【特許請求の範囲】
【請求項１】
ユーザにプレゼンスサービスを提供する方法であって、
プレゼンス・プログラム・ロジック（３）を、それぞれのオブジェクトを表すアドレスを有するとともにユーザの端末（４）内で実行されるアプリケーション（１）に接続するステップと、
前記プレゼンス・プログラム・ロジック（３）を、プレゼンス管理システム（１７）に接続するステップと、
前記アプリケーション（１）内にある少なくとも１つのインターフェース（９，１０，１１，１２，１３）を利用して、プレゼンスサービスを、アプリケーション（１）のサービスと統合するステップとを、含むことを特徴とする方法。
【請求項２】
前記アプリケーションは、拡張性のためのインターフェースを含むことを特徴とする請求項１記載の方法。
【請求項３】
前記アプリケーション（１）内にあるインターフェース（９）を用いて、前記アプリケーション（１）内に格納されたアドレスリスト（５）からアドレスを、プレゼンスサービスにて用いるために取得することを特徴とする請求項１又は２記載の方法。
【請求項４】
前記プレゼンス・プログラム・ロジック（３）内の検討手段（２０）により、前記アドレスリスト（５）を検討して、プレゼンスアドレスに関するアドレスプロパティを検出することを特徴とする請求項３記載の方法。
【請求項５】
前記アプリケーション（１）内の現行のインターフェース（１０）を利用して、前記アプリケーション（１）のアドレスリスト（５）内のアドレス項目を拡張し、プレゼンスアドレスをも含めることを特徴とする請求項１〜４のいずれか一つに記載の方法。
【請求項６】
前記アプリケーション（１）内の現行のインターフェース（１１）を利用して、前記アプリケーション（１）内のツールバー（７）を拡張して、ユーザが提供した友人リスト内のメンバーのプレゼンス状態を表すアイコンを含めることを特徴とする請求項１〜５のいずれか一つに記載の方法。
【請求項７】
前記アプリケーション（１）内の現行のインターフェース（１３）を利用して、ユーザーインターフェースを拡張して、ユーザが自分のプレゼンス状態を変更したいと望んだ場合にユーザが使用するための入力手段を含めることを特徴とする請求項１〜６のいずれか一つに記載の方法。
【請求項８】
前記プレゼンス・プログラム・ロジック（３）を、ユーザの端末（４）内で動作するＰＩＭアプリケーション（１）に接続することを特徴とする請求項１〜７のいずれか一つに記載の方法。
【請求項９】
前記アプリケーション（１）に含まれたカレンダ又はメモリスト内の情報に従って、プレゼンス状態を自動的に変更し、前記カレンダ又は前記メモリストと前記プレゼンス・プログラム・ロジック（３）との間の対話は、前記アプリケーション（１）内に既に存在するインターフェースを介して実行されることを特徴とする請求項１〜８のいずれか一つに記載の方法。
【請求項１０】
インスタントメッセージ伝送、電話、及び／又はビデオプログラム・ロジックを、前記アプリケーション（１）に追加することを特徴とする請求項１〜９のいずれか一つに記載の方法。
【請求項１１】
前記アプリケーション（１）に含まれたカレンダ又はメモリスト内の情報に従って、インスタントメッセージを自動的に送信し、前記カレンダ又は前記メモリストと即時メッセージ伝送プログラム・ロジックとの間の対話は、前記アプリケーション（１）内に既に存在するインターフェースを介して実行されることを特徴とする請求項１０記載の方法。
【請求項１２】
ユーザにプレゼンスサービスを提供するシステムであって、該システムはユーザの端末（４）を備え、該端末（４）は、それぞれのオブジェクトを表すアドレスを有するアプリケーション（１）を備え、
前記端末（４）は、前記アプリケーション（１）に接続したプレゼンス・プログラム・ロジック（３）をさらに備え、該プレゼンス・プログラム・ロジック（３）は、プレゼンス管理システム（１７）に接続することを特徴とし、
前記プレゼンス・プログラム・ロジック（３）は、前記アプリケーション（１）内にある少なくとも１つのインターフェース（９，１０，１１，１２，１３）を利用して、プレゼンスサービスを、前記アプリケーション（１）のサービスと統合するインターフェース対話手段（１９）を備えたことを特徴とするシステム。
【請求項１３】
前記アプリケーション（１）は、拡張性のためのインターフェースを含むことを特徴とする請求項１２記載のシステム。
【請求項１４】
前記インターフェース対話手段（１９）は、前記アプリケーション（１）内にあるインターフェース（９）と対話して、前記アプリケーション（１）内に格納されたアドレスリスト（５）からアドレスを、プレゼンスサービスにて用いるために取得するように適合していることを特徴とする請求項１２又は１３記載のシステム。
【請求項１５】
前記インターフェース対話手段（１９）に接続して、前記プレゼンス・プログラム・ロジック（３）内の前記アドレスリスト（５）を検討して、プレゼンスアドレスに関するアドレスプロパティを検出するように適合した検討手段（２０）を、備えたことを特徴とする請求項１４記載のシステム。
【請求項１６】
前記インターフェース対話手段（１９）は、前記アプリケーション（１）内の現行のインターフェース（１０）と対話して、前記アプリケーション（１）のアドレスリスト（５）内のアドレス項目を拡張し、プレゼンスアドレスをも含めるように適合したことを特徴とする請求項１２〜１５のいずれか一つに記載のシステム。
【請求項１７】
前記インターフェース対話手段（１９）は、前記アプリケーション（１）内の現行のインターフェース（１１）と対話して、前記アプリケーション（１）内のツールバー（７）を拡張して、ユーザが提供した友人リスト内のメンバーのプレゼンス状態を表すアイコンを含めるように適合したことを特徴とする請求項１２〜１６のいずれか一つに記載のシステム。
【請求項１８】
前記インターフェース対話手段（１９）は、前記アプリケーション（１）内の現行のインターフェース（１３）と対話して、ユーザーインターフェースを拡張して、ユーザが自分のプレゼンス状態を変更したいと望んだ場合にユーザが使用するための入力手段を含めるように適合したことを特徴とする請求項１２〜１７のいずれか一つに記載のシステム。
【請求項１９】
前記アプリケーション（１）は、ＰＩＭアプリケーション（１）であることを特徴とする請求項１２〜１８のいずれか一つに記載のシステム。
【請求項２０】
前記インターフェース対話手段（１９）は、前記アプリケーション（１）内のインターフェースを利用して、前記アプリケーション（１）内のカレンダ又はメモリストと、プレゼンス状態の変更が前記カレンダ又は前記メモリスト内の予定されたイベントに基づいて自動的に実行されるように対話するように適合したことを特徴とする請求項１２〜１９のいずれか一つに記載のシステム。
【請求項２１】
前記端末（４）は、前記アプリケーション（１）に接続したインスタントメッセージ伝送、電話、及び／又はビデオプログラム・ロジックを、さらに備えたことを特徴とする請求項１２〜２０のいずれか一つに記載のシステム。
【請求項２２】
前記インターフェース対話手段（１９）は、前記アプリケーション（１）内のインターフェースを利用して、前記アプリケーション（１）内のカレンダ又はメモリストと、インスタントメッセージが前記カレンダ又は前記メモリスト内の予定されたイベントに基づいて自動的に送信されるように対話するように適合したことを特徴とする請求項２１記載のシステム。
【発明の詳細な説明】
【技術分野】
【０００１】
本発明は、ユーザにプレゼンスサービスを提供する方法及びシステムに関する。
【背景技術】
【０００２】
〔関連技術〕
プレゼンスサービスは、サービスへの加入者が、相互に、自分の参加可能性及び交信の意思を容易に通知可能な、ネットワークサービスである。各加入者は、リスト、友人リストと称される、を有する。この友人リストには、加入者がプレゼンス情報を入手したいと望む他の加入者のプレゼンスアドレスが含まれている。友人リストは、加入者が利用する端末内にインストールされているプレゼンスクライアント内に配置されているとともに、該プレゼンス・クライアントにより管理されている。
【０００３】
プレゼンスアドレスは、当該加入者についてのプレゼンス情報の取得元である、ある種のプレゼンスシステムを、指している。プレゼンスシステムは、プレゼンスサーバであってもよい。プレゼンスサーバは、このプレゼンスサーバを指しているプレゼンスアドレスを有する加入者の現在の状態についての更新された情報を、保持している。その代わりに、プレゼンス情報は、クライアントから直接取得されてもよい。この場合、プレゼンスアドレスは、直接、クライアントを指す。
【０００４】
サービスへの加入者は、自分のプレゼンス状態を変更したいと望む場合、プレゼンスクライアントが提供しているある種の入力手段を使用する。この変更は、プレゼンスアドレスが指しているプレゼンスシステム、例えば、プレゼンスサーバ、へと送られる。プレゼンス状態は、例えば、「在席」、「不在」（ネットワークに接続していないのと同じ）又は「在席だが交信を希望せず」であってもよい。プレゼンスサーバは、加入者に対して、この人のプレゼンス情報を誰が申し込んだのかを通知する。その通知には、変更済のプレゼンス状態についての情報が、含まれている。但し、この人物によりそのプレゼンス情報を受信してもよいと承認された加入者のみが、その情報を取得することになる。
【０００５】
プレゼンス情報は、例えば、アイコンとして提示される。また、このアイコンは、ユーザが与えたテキストを伴うこともある。そのテキストは、「不在」理由についての情報であってもよい。
【０００６】
インスタントメッセージ伝達（instant messaging）は、ネットワークを介して短いテキストメッセージを送信するのに用いられる通信サービスである。インスタントメッセージの特徴は、受信側の画面上に即時に表示されることにある。そして、受信側は、応答メッセージを送信してもよく、一連のメッセージ交換が、チャットセッションに変わることもある。インスタントメッセージ伝達サービスは、通常、プレゼンスサービスと組み合わされる。
【０００７】
プレゼンスサービスについては、例えば、特許文献１に開示されている。また、インスタントメッセージ伝達についても、特許文献１に開示されている。
【特許文献１】
ＷＯ０１／５６３０８
【発明の開示】
【０００８】
現行のシステムに伴う問題は、該システムが、プレゼンスサービス用の特殊なユーザインタフェースを必要とすることにある。
【０００９】
〔概要〕
本発明の目的は、よりユーザーフレンドリーなプレゼンスサービスを提供することにある。
【００１０】
本発明のさらなる目的は、プレゼンスサービスを、例えば通信及び協働（ｃｏｌｌａｂｏｒａｔｉｏｎ）アプリケーション等、それぞれのオブジェクトを表すアドレスを有するアプリケーションと組み合わせることにある。
【００１１】
このことは、最初に規定される種類の方法にて達成される。この方法は、
プレゼンス・プログラム・ロジックを、それぞれのオブジェクトを表すアドレスを有するとともにユーザの端末内で実行されるアプリケーションに接続するステップと、
前記プレゼンス・プログラム・ロジックを、プレゼンス管理システムに接続するステップと、
前記アプリケーション内にある少なくとも１つのインターフェースを利用して、プレゼンスサービスを、アプリケーションのサービスと統合するステップとを、含む。
【００１２】
さらに、その目的は、最初に説明されるシステムにて達成される。このシステムは、ユーザの端末を備え、該端末は、それぞれのオブジェクトを表すアドレスを有するアプリケーションを備えている。前記端末は、前記アプリケーションに接続したプレゼンス・プログラム・ロジックをさらに備え、該プレゼンス・プログラム・ロジックは、プレゼンス管理システムに接続している。さらに、前記プレゼンス・プログラム・ロジックは、前記アプリケーション内にある少なくとも１つのインターフェースを利用して、プレゼンスサービスを、前記アプリケーションのサービスと統合するインターフェース対話手段を備えている。
【００１３】
ここで、プレゼンスサービスは、それぞれのオブジェクトを表すアドレスを有するアプリケーションへと統合されている。ＰＩＭアプリケーション、移動電話内のアドレスリスト、及び時間管理システムは、このようなアプリケーションの例である。アプリケーション内のユーザーインターフェースは、プレゼンスサービスのためにも使用されることになる。
【００１４】
前記アプリケーションは、拡張性のためのインターフェースを、適切に含んでいる。これらのインターフェースは、プレゼンスサービスの統合のために用いられることが、望ましい。
【００１５】
前記インターフェース対話手段は、アプリケーション内にあるインターフェースと対話して、アプリケーション内に格納されたアドレスリストからアドレスを、プレゼンスサービスで使用するために取得するように、適切に適合している。
【００１６】
有利なこととして、前記システムは、インターフェース対話手段に接続して、プレゼンス・プログラム・ロジック内のアドレスリストを検討して、プレゼンスアドレスに関するアドレスプロパティを検出するように適合した検討手段を、備えている。
【００１７】
インターフェース対話手段は、アプリケーション内の現行のインターフェースと対話して、アプリケーションのアドレスリスト内のアドレス項目を拡張し、プレゼンスアドレスをも含めるように、適切に適合している。
【００１８】
ここで、アプリケーション内のアドレスリストは、プレゼンス情報で拡張可能であり、同アドレスリストは、通常のアプリケーションサービスのためのプレゼンスサービス用に使用可能である。
【００１９】
一実施形態では、インターフェース対話手段は、アプリケーション内の現行のインターフェースと対話して、アプリケーション内のツールバーを拡張して、ユーザが提供した友人リスト内のメンバーのプレゼンス状態を表すアイコンを含めるように適合している。
【００２０】
インターフェース対話手段は、アプリケーション内の現行のインターフェースと対話して、ユーザーインターフェースを拡張して、ユーザが自分のプレゼンス状態を変更したいと望んだ場合にユーザが使用するための入力手段を含めるように、適切に適合している。
【００２１】
ここで、プレゼンスサービス用のユーザーフレンドリーなユーザーインターフェースであって、アプリケーションのユーザーインターフェースと統合されたものが、達成されている。
【００２２】
一実施形態では、アプリケーションは、ＰＩＭアプリケーションである。
【００２３】
インターフェース対話手段は、アプリケーション内のインターフェースを利用して、アプリケーション内のカレンダ又はメモリストと、プレゼンス状態の変更がカレンダ又はメモリスト内の予定されたイベントに基づいて自動的に実行されるように対話するように、適合可能である。
【００２４】
さらに、端末は、アプリケーションに接続したインスタントメッセージ伝送、電話、及び／又はビデオプログラム・ロジックを、備えている。
【００２５】
一実施形態では、インターフェース対話手段は、アプリケーション内のインターフェースを利用して、アプリケーション内のカレンダ又はメモリストと、インスタントメッセージがカレンダ又はメモリスト内の予定されたイベントに基づいて自動的に送信されるように対話するように、適合している。
【００２６】
〔実施形態の詳細な説明〕
図１に、本発明の一実施形態によるプレゼンス・プログラム・ロジック３と対話する拡張性のためのインターフェースを有するアプリケーション１を示す。本発明によると、アプリケーション１は、プレゼンスサービスを追加するのに有用となるアプリケーションである。例えば、それは、ＰＩＭ（Personal Information Management）アプリケーション、又は、例えばインターネット若しくは移動電話内のアドレスリスト等、通信又は協働アプリケーションであってもよい。また、アプリケーション１は、時間管理システム又はプロジェクト企画システムであってもよい。本実施形態では、アプリケーションは、ＰＩＭアプリケーション１である。ＰＩＭアプリケーション１とプレゼンス・プログラム・ロジック３とは、同じユーザ端末４内にインストールされている。該ユーザ端末は、例えば、移動電話、ＰＤＡ（パーソナル・デジタル・アシスタント）又はＰＣ（パーソナル・コンピュータ）であってもよい。
【００２７】
ＰＩＭアプリケーションは、今日、広く用いられるようになり、ハンドヘルド機器及びコンピュータ上のソフトウェアの双方に存在する。ＰＩＭアプリケーションは、通常、個人の電子メール通信、カレンダ・イベント、予定事項リスト、及び、個人又は法人のアドレスリストを管理するツールとなるアプリケーションである。
【００２８】
ＰＩＭアプリケーション１は、本実施例では、アドレスリスト５、ツールバー７、及びアドレス表示８を、備えている。本発明によるプレゼンス・プログラム・ロジック３は、ＰＩＭアプリケーション１内の少なくとも１つのインターフェースと対話するように適合したインターフェース対話手段１９を、備えている。プレゼンス・プログラム・ロジック３は、本実施形態では、少なくとも１つのプレゼンスサーバ１７と交信する。プレゼンスサーバ１７は、プレゼンス情報の申込及び通知の実行を担当する。本発明の他の実施形態では、さらなる通信サービスが、プレゼンスサービスとともにアプリケーションに対して追加される。これは、例えば、インスタントメッセージ伝達サービス、電話サービス、ビデオサービス、又はホワイトボードサービスであってもよい。
【００２９】
本発明の重要部分として、プレゼンス・プログラム・ロジックと、この場合にはＰＩＭアプリケーションとの、前記の既に存在するＰＩＭアプリケーション・インタフェースを介しての通信がある。このことについて、図２における本発明の第１の実施形態のフローチャートを参照して説明する。通信手順の各ステップについて、以下、順に説明する。
【００３０】
Ｓ２１：プレゼンス・プログラム・ロジック３は、ＰＩＭアプリケーション１を含む端末４内にインストールされる。プレゼンス・ロジック３は、ＰＩＭアプリケーション１が起動すると読み込まれてされて実行されるようになっている。
【００３１】
Ｓ２３：プレゼンス・プログラム・ロジック３内のインターフェース対話手段１９は、ＰＩＭアプリケーション１内にあるアドレス取得インターフェース９を用いて、ＰＩＭアプリケーション１内のアドレスリスト５に格納されたアドレスを取得する。
【００３２】
Ｓ２５：プレゼンス・プログラム・ロジック３内のインターフェース対話手段１９に接続した検討手段２０は、アドレスリスト５を検討して、各アドレス項目内のプレゼンスを示すアドレスプロパティを検索する。このアドレスプロパティには、サービスの参加者に対するプレゼンス状態変更の受信及び送信を担当するプレゼンスシステムを指し示すプレゼンスアドレスが、含まれている。
【００３３】
Ｓ２７：プレゼンス・プログラム・ロジック３内の通信手段２１は、プレゼンスの申込を、各プレゼンスアドレスにより示されるプレゼンスサーバへと送出する。このような申込は、プレゼンスサーバが、指定されたユーザからのプレゼンス情報で、このプレゼンス・プログラム・ロジック３を更新するようにしていることを意味する。そして、プレゼンス・プログラム・ロジック３は、アドレスリスト内のプレゼンスプロパティを有する全てのアドレスについて、現在のプレゼンス状態を保持することを、担当することになる。
【００３４】
ＰＩＭアプリケーション１に、プレゼンスアドレスを参照するプロパティに対するネイティブ対応がない場合、インターフェース１０を拡張するアドレス項目が、このようなプロパティとともに、アドレス項目を拡張するために用いられる。また、アドレス項目の作成及び操作のために用いられるユーザインタフェースも、そのようなプロパティに対応するように拡張される。また、各アドレス項目は、このアドレスがユーザインタフェース内でどのように表現されるべきかについて、プレゼンス・プログラム・ロジックに対して示す、対応したプロパティを有する。例えば、アドレス項目及びそのアドレスのプレゼンス状態を表すアイコン及びテキストラインが、ツールバー内に表示されることを示すプロパティが、あってもよい。ツールバー変更手段１１は、このようなアドレス表現をツールバーに追加するために用いられる。ツールバーに対するこのような追加は、検討手段２０がアドレスリストを検討してこのようなプロパティに行き当った場合に、実行される。
【００３５】
本発明の一実施形態では、ユーザが、ＰＩＭアプリケーション１のアドレス表示領域８内のアドレスブックをリストアップすることを選択した場合、プレゼンス・プログラム・ロジック３は、生成されるべきイベントについて申し込んでいる。従って、アドレスブックがリストアップされた場合には、プレゼンス・プログラム・ロジック３は、これについての情報を取得し、アドレス表示変更インタフェース１２を用いて、アドレス表示領域内にリストアップされたアドレス項目に対応した更新済プレゼンス状態情報を追加する。このことにより、アドレス情報及びプレゼンス情報は、単一の表示で表示可能となる。
【００３６】
Ｓ２９：プレゼンス状態の更新通知は、プレゼンスサーバ１７から、プレゼンス・プログラム・ロジック３内の通信手段２１にて受信される。
【００３７】
Ｓ３０：ツールバー変更インタフェース１１及びアドレス表示変更インタフェース１２は、受信されたプレゼンス状態更新通知に対応した実体のプレゼンス状態の表示を更新するために、用いられる。
【００３８】
Ｓ３１：この端末４のユーザは、ミーティングに参加することになるので、自分のプレゼンス状態を「不在」へと変更する。そのユーザは、ＰＩＭアプリケーション１のツールバー７内のある種の入力手段を、この目的のために適切に使用する。
【００３９】
Ｓ３３：プレゼンス状態の変更についてのイベントが、プレゼンス・プログラム・ロジック３にて受信される。
【００４０】
Ｓ３４：これは、このユーザに対応したプレゼンスサーバ１７へと送られる。プレゼンスサーバ１７は、ユーザに対して、誰が、変更されたプレゼンス状態についてのこのユーザのプレゼンス情報の申込をしたのか通知する。この通知手順は、当該技術にて周知であるため、ここでさらに詳細には説明しない。
【００４１】
プレゼンス・プログラム・ロジック３は、ＰＩＭアプリケーションのユーザが自分のプレゼンス状態を設定できるようにするＰＩＭアプリケーションのユーザーインターフェースに対して入力手段を追加するために、インターフェース１３を追加する入力手段を用いてもよい。この入力手段がユーザのプレゼンス状態を変更するのに用いられた場合、イベントが発生して、プレゼンス・プログラム・ロジック３により取得される。なお、プレゼンス・プログラム・ロジック３は、プレゼンス更新メッセージを、プレゼンスサーバ１７へと送信することになる。
【００４２】
インスタントメッセージ伝達プログラム・ロジックが、プレゼンス・プログラム・ロジックとともにＰＩＭアプリケーションへと追加された場合、例えば、ツールバー変更インターフェース１１、アドレス表示変更インターフェース１２、又は入力手段追加インターフェース等のユーザーインターフェース変更インターフェースが、ＰＩＭアプリケーション１のユーザーインターフェースからインスタントメッセージを送信可能とするメニュー又はボタンを追加するために、用いられてもよい。例えば、このようなボタンが押下されると、インスタントメッセージ伝達及びプレゼンス・プログラム・ロジック３へと、イベントが送られることになる。このイベントには、インスタントメッセージの受信側のアドレスが、含まれている。インスタントメッセージのアドレスは、インスタントメッセージ伝達プロパティを、アドレス表示内の選択されたアドレス項目から取得することにより、検出されうる。ＰＩＭアプリケーションが対応していない場合、アドレス項目拡張インターフェース１０は、アドレス項目をインスタントメッセージ伝達アドレスで拡張するために、用いられてもよい。
【００４３】
本発明の一実施形態では、ＰＩＭアプリケーション内のカレンダ、メモリスト、及び／又は予定事項リストが、プレゼンス状態を自動的に変更するため、及び／又は、インスタントメッセージを送信するために、用いられる。
【００４４】
ＰＩＭアプリケーション内のカレンダにより生成されたイベントは、プレゼンス・プログラム・ロジックへと送られて、プレゼンス更新メッセージがプレゼンスサーバへと送信されることになる。例えば、プレゼンス状態は、予定されたミーティングが発生するとビジーに設定されてもよく、ミーティングが終了すると参加可能に戻ってもよい。
【００４５】
同様にして、カレンダ内に設定されたミーティングの時間になったときに、即時メッセージが、ミーティングの参加者に対するメモとして送信されてもよい。
【００４６】
上述の実施形態は、いくつもの異なるインターフェースで、それぞれのタスクを実行するそれぞれの名称で、説明された。しかしながら、その代わりに、説明されたこれらの機能の全てを有するアプリケーション内の単一のインターフェースが、使用されてもよい。また、ここに説明されたものよりも多くのインターフェースが利用されてもよい。
【００４７】
さらに、説明された本実施形態では、プレゼンスサーバは、プレゼンス情報の配信及び管理用に使用されていた。しかしながら、このことは、必須というわけではない。また、プレゼンス更新通知は、クライアント間で直接転送されてもよい。
【図面の簡単な説明】
【００４８】
【図１】本発明の一実施形態によるプレゼンス・プログラム・ロジックと対話する拡張性のためのインターフェースを有するアプリケーションを示す図である。
【図２】本発明の第１の実施形態のフローチャートである。
【図２】
2005505840.tif 000003
【国際公開パンフレット】
2005505840.tif 000004
2005505840.tif 000005
2005505840.tif 000006
2005505840.tif 000007
2005505840.tif 000008
2005505840.tif 000009
2005505840.tif 000010
2005505840.tif 000011
2005505840.tif 000012
2005505840.tif 000013
2005505840.tif 000014
2005505840.tif 000015
2005505840.tif 000016
2005505840.tif 000017
2005505840.tif 000018
2005505840.tif 000019
2005505840.tif 000020
【手続補正書】
【提出日】平成15年5月8日(2003.5.8)
【手続補正１】
【補正対象書類名】特許請求の範囲
【補正対象項目名】全文
【補正方法】変更
【補正の内容】
【特許請求の範囲】
【請求項１】
ユーザにプレゼンスサービスを提供する方法であって、
プレゼンス・プログラム・ロジック（３）を、プレゼンスサービス用の機能を既に有するわけではないが、それぞれのオブジェクトを表すアドレスを有し、拡張性のためのインターフェース（９，１０，１１，１２，１３）を含み、ユーザの端末（４）内で実行されるアプリケーション（１）に、接続するステップと、
前記プレゼンス・プログラム・ロジック（３）を、プレゼンス管理システム（１７）に接続するステップと、
前記アプリケーション（１）内にある少なくとも１つのを利用して、プレゼンスサービスを、アプリケーション（１）のサービスと統合するステップとを、含むことを特徴とする方法。
【請求項２】
前記アプリケーション（１）内にあるインターフェース（９）を用いて、前記アプリケーション（１）内に格納されたアドレスリスト（５）からアドレスを、プレゼンスサービスにて用いるために取得することを特徴とする請求項１記載の方法。
【請求項３】
前記プレゼンス・プログラム・ロジック（３）内の検討手段（２０）により、前記アドレスリスト（５）を検討して、プレゼンスアドレスに関するアドレスプロパティを検出することを特徴とする請求項２記載の方法。
【請求項４】
前記アプリケーション（１）内の現行のインターフェース（１０）を利用して、前記アプリケーション（１）のアドレスリスト（５）内のアドレス項目を拡張し、プレゼンスアドレスをも含めることを特徴とする請求項１〜３のいずれか一つに記載の方法。
【請求項５】
前記アプリケーション（１）内の現行のインターフェース（１１）を利用して、前記アプリケーション（１）内のツールバー（７）を拡張して、ユーザが提供した友人リスト内のメンバーのプレゼンス状態を表すアイコンを含めることを特徴とする請求項１〜４のいずれか一つに記載の方法。
【請求項６】
前記アプリケーション（１）内の現行のインターフェース（１３）を利用して、ユーザーインターフェースを拡張して、ユーザが自分のプレゼンス状態を変更したいと望んだ場合にユーザが使用するための入力手段を含めることを特徴とする請求項１〜５のいずれか一つに記載の方法。
【請求項７】
前記プレゼンス・プログラム・ロジック（３）を、ユーザの端末（４）内で動作するＰＩＭアプリケーション（１）に接続することを特徴とする請求項１〜６のいずれか一つに記載の方法。
【請求項８】
前記アプリケーション（１）に含まれたカレンダ又はメモリスト内の情報に従って、プレゼンス状態を自動的に変更し、前記カレンダ又は前記メモリストと前記プレゼンス・プログラム・ロジック（３）との間の対話は、前記アプリケーション（１）内に既に存在するインターフェースを介して実行されることを特徴とする請求項１〜７のいずれか一つに記載の方法。
【請求項９】
インスタントメッセージ伝送、電話、及び／又はビデオプログラム・ロジックを、前記アプリケーション（１）に追加することを特徴とする請求項１〜８のいずれか一つに記載の方法。
【請求項１０】
前記アプリケーション（１）に含まれたカレンダ又はメモリスト内の情報に従って、インスタントメッセージを自動的に送信し、前記カレンダ又は前記メモリストとインスタントメッセージ伝送プログラム・ロジックとの間の対話は、前記アプリケーション（１）内に既に存在するインターフェースを介して実行されることを特徴とする請求項９記載の方法。
【請求項１１】
ユーザにプレゼンスサービスを提供するシステムであって、該システムはユーザの端末（４）を備え、該端末（４）は、プレゼンスサービス用の機能を既に有するわけではないが、それぞれのオブジェクトを表すアドレスを有し、拡張性のためのインターフェース（９，１０，１１，１２，１３）を含むアプリケーション（１）を備え、
前記端末（４）は、前記アプリケーション（１）に接続したプレゼンス・プログラム・ロジック（３）をさらに備え、該プレゼンス・プログラム・ロジック（３）は、プレゼンス管理システム（１７）に接続することを特徴とし、
前記プレゼンス・プログラム・ロジック（３）は、前記アプリケーション（１）内にある少なくとも１つのインターフェース（９，１０，１１，１２，１３）を利用して、プレゼンスサービスを、前記アプリケーション（１）のサービスと統合するインターフェース対話手段（１９）を備えたことを特徴とするシステム。
【請求項１２】
前記インターフェース対話手段（１９）は、前記アプリケーション（１）内にあるインターフェース（９）と対話して、前記アプリケーション（１）内に格納されたアドレスリスト（５）からアドレスを、プレゼンスサービスにて用いるために取得するように適合していることを特徴とする請求項１１記載のシステム。
【請求項１３】
前記インターフェース対話手段（１９）に接続して、前記プレゼンス・プログラム・ロジック（３）内の前記アドレスリスト（５）を検討して、プレゼンスアドレスに関するアドレスプロパティを検出するように適合した検討手段（２０）を、備えたことを特徴とする請求項１２記載のシステム。
【請求項１４】
前記インターフェース対話手段（１９）は、前記アプリケーション（１）内の現行のインターフェース（１０）と対話して、前記アプリケーション（１）のアドレスリスト（５）内のアドレス項目を拡張し、プレゼンスアドレスをも含めるように適合したことを特徴とする請求項１１〜１３のいずれか一つに記載のシステム。
【請求項１５】
前記インターフェース対話手段（１９）は、前記アプリケーション（１）内の現行のインターフェース（１１）と対話して、前記アプリケーション（１）内のツールバー（７）を拡張して、ユーザが提供した友人リスト内のメンバーのプレゼンス状態を表すアイコンを含めるように適合したことを特徴とする請求項１１〜１４のいずれか一つに記載のシステム。
【請求項１６】
前記インターフェース対話手段（１９）は、前記アプリケーション（１）内の現行のインターフェース（１３）と対話して、ユーザーインターフェースを拡張して、ユーザが自分のプレゼンス状態を変更したいと望んだ場合にユーザが使用するための入力手段を含めるように適合したことを特徴とする請求項１１〜１５のいずれか一つに記載のシステム。
【請求項１７】
前記アプリケーション（１）は、ＰＩＭアプリケーション（１）であることを特徴とする請求項１１〜１６のいずれか一つに記載のシステム。
【請求項１８】
前記インターフェース対話手段（１９）は、前記アプリケーション（１）内のインターフェースを利用して、前記アプリケーション（１）内のカレンダ又はメモリストと、プレゼンス状態の変更が前記カレンダ又は前記メモリスト内の予定されたイベントに基づいて自動的に実行されるように対話するように適合したことを特徴とする請求項１１〜１７のいずれか一つに記載のシステム。
【請求項１９】
前記端末（４）は、前記アプリケーション（１）に接続したインスタントメッセージ伝送、電話、及び／又はビデオプログラム・ロジックを、さらに備えたことを特徴とする請求項１１〜１８のいずれか一つに記載のシステム。
【請求項２０】
前記インターフェース対話手段（１９）は、前記アプリケーション（１）内のインターフェースを利用して、前記アプリケーション（１）内のカレンダ又はメモリストと、インスタントメッセージが前記カレンダ又は前記メモリスト内の予定されたイベントに基づいて自動的に送信されるように対話するように適合したことを特徴とする請求項１９記載のシステム。
【国際調査報告】
2005505840.tif 000021
2005505840.tif 000022
2005505840.tif 000023